(57)【要約】【課題】ロック解除を行なうことなく、キーを無理に抜出そうとすると、キーを介して回転カムに過負荷がかかり、この過負荷がベースにかかってベース破壊が生じるおそれがあるため、回転カムにかかる過大な力をベースとヘッドケースとに分散させる。【解決手段】スイッチ本体３に取付けたヘッドケース４のキー挿入口にキー２を挿入することで、前記ヘッドケース内のベース９にカム軸３５を介して回転自在に支持されたカム８が正転して電源回路が閉成されると共に、カムロック解除状態でキーが抜出されることにより前記カムが逆転して電源回路が開成される電磁ロック式安全スイッチにおいて、前記カム軸の両端部を前記ヘッドケース４の内周面に縦設した軸方向の溝部３６に嵌合させる。【選択図】　図１
2004079204.tif 000002
【特許請求の範囲】
【請求項１】
電源回路のオン・オフを司るスイッチング手段が収納されたスイッチ本体と、キーの挿入ないし抜出しにより正逆に回転動作することでスイッチング手段に接点切換動作を行なわせるカム手段が収納されたヘッドケースと、ヘッドケースに収納されて前記カム手段をカム軸により回転動作可能に支持するベースと、キー挿入によって惹起された接点切換え状態を維持するロック手段とを有する電磁ロック式安全スイッチにおいて、
前記カム軸の両端部を前記ヘッドケースまたはヘッドケースとスイッチ本体との双方に係合保持させたことを特徴とする電磁ロック式安全スイッチ。
【請求項２】
前記カム軸の両端部を前記ヘッドケースの内周面に形成した軸方向の溝部に嵌合させることによって前記カム軸を前記ヘッドケースに係合保持させたことを特徴とする請求項１記載の電磁ロック式安全スイッチ。
【請求項３】
前記カム軸の両端部を前記ヘッドケースの周壁に形成した透孔に嵌合させることによって前記カム軸を前記ヘッドケースに係合保持させたことを特徴とする請求項１記載の電磁ロック式安全スイッチ。
【請求項４】
前記カム軸の両端部を前記ヘッドケースと前記スイッチ本体との両周壁に形成した透孔に嵌合させることによって前記カム軸を前記ヘッドケースとスイッチ本体との双方に係合保持させたことを特徴とする請求項１記載の電磁ロック式安全スイッチ。
【請求項５】
前記カム手段と前記ヘッドケース頂壁内面とのクリアランスは、前記キーに抜出し方向の過負荷がかかった際に、前記カム手段が前記ヘッドケースの頂壁内面に接触可能な寸法に設定されていることを特徴とする請求項１ないし４のいずれか１つに記載の電磁ロック式安全スイッチ。
【請求項６】
電源回路のオン・オフを司るスイッチング手段が収納されたスイッチ本体と、キーの挿入ないし抜出しにより正逆に回転動作することでスイッチング手段に接点切換動作を行なわせるカム手段が収納されたヘッドケースと、ヘッドケースに収納されて前記カム手段をカム軸により回転動作可能に支持するベースと、キー挿入による前記カム手段の正動作を保持させるロック手段とを有する安全スイッチにおいて、
前記ヘッドケース下部を前記スイッチ本体内面へ嵌合させたことを特徴とする電磁ロック式安全スイッチ。
【請求項７】
前記ヘッドケース下部外面と前記スイッチ本体内面との間に凹凸の係合手段を設けたことを特徴とする請求項６記載の電磁ロック式安全スイッチ。
【請求項８】
前記ヘッドケースに嵌合させたカバー体の下部をスイッチ本体の上部に嵌合させたことを特徴とする請求項６又は７記載の電磁ロック式安全スイッチ。
【請求項９】
前記ヘッドケース内に組み込む複数の部品を前後左右対称に配置したことを特徴とする請求項１ないし８のいずれか１つに記載の電磁ロック式安全スイッチ。
【発明の詳細な説明】
【０００１】
【発明が属する技術分野】
本発明は、ドアスイッチ等に使用される電磁ロック式安全スイッチに関する。
【０００２】
【従来の技術】
ドアロックスイッチは、一般に、自動化された工作機械を設置した作業エリアの出入り口に設けたドアの開閉を検知して、工作機械の電源を入り切りするものであり、ドアを閉めるとドア側に備えたキーが出入り口側に備えたスイッチ本体に挿入され、挿入されたキーによって内装カムが回転操作されて、スイッチ本体に内蔵したスイッチング機構がスイッチオン状態に切り換えられて電源回路などが接続されるとともに、ドアを開けるとキーの抜出しによって内装カムが回転操作されて、スイッチング機構がスイッチオフ状態に切り換えられて電源回路などが断たれるように構成されている。
【０００３】
ドアロックスイッチは、通常、スイッチ本体とスイッチ本体上端に載置されてネジなどで取付けられたキー挿入口付きヘッドケースとから構成されており、ヘッドケースにはカム支持用のベースが組み込まれている。このベースはカムを回転自在に挟持する一対の支持板を有しており、両支持板にはカム軸が挿通される筒状の軸受が突設されている。そして、軸受から突出するカム軸の両端はヘッドケースの側壁内面に当接している。
【０００４】
なお、電磁ロック式のドアスイッチとしては、ドアを閉めるとロック付勢されたロック機構が働いて自動的にロックがかかり、電磁ソレノイドに通電してロック機構をロック解除操作することでドアの開放を許容するメカロック方式のものと、ドアを閉めても直ちにはロックがかからず、電磁ソレノイドに通電している期間だけロック解除付勢されたロック機構を作動させてロック状態を保持し、電磁ソレノイドへの通電を停止することでロックを付勢解除してドアの開放を許容するソレノイドロック方式のものとが知られている。
【０００５】
【発明が解決しようとする課題】
上記いずれの方式においても、ロック解除操作することなく、ロックされている状態のままドアを無理に開けようとすると、キーを介してカムに過負荷がかかり、これによってベースが破壊されるばかりか、カムがヘッドケースに接触し、ヘッドケースも破壊されてキーが抜出しドアが開いてしまうとともに、この破損によってスイッチング機構がスイッチオン状態に保持されたままとなり、ドアが開放されているにもかかわらず電源回路が接続されたままになって工作機械が作動したままになる不具合がもたらされる。
【０００６】
また、上記従来例では、ヘッドケースはスイッチ本体上端面に、単に載置されてネジなどで取付けられているに過ぎず、よってヘッドケースに前後左右からの衝撃力が作用した場合、ヘッドケースがケース本体から分離破損するおそれがあった。
【０００７】
本発明は、上記問題点に着目してなされたもので、その目的とするところは、カム軸をヘッドケースに係合させることにより、カムに過負荷がかかってもベースおよびヘッドケースの破壊を防止することができるとともに、ヘッドケースをスイッチ本体に嵌合させることにより、水平方向における耐衝撃性を向上させることが可能な電磁ロック式安全スイッチを提供することにある。
【０００８】
【課題を解決するための手段】
上記目的を達成するため、本発明は、電源回路のオン・オフを司るスイッチング手段が収納されたスイッチ本体と、キーの挿入ないし抜出しにより正逆に回転動作することでスイッチング手段に接点切換動作を行なわせるカム手段が収納されたヘッドケースと、ヘッドケースに収納されて前記カム手段をカム軸により回転動作可能に支持するベースと、キー挿入によって惹起された接点切換え状態を維持するロック手段とを有する安全スイッチにおいて、前記カム軸の両端部を前記ヘッドケースまたはヘッドケースとスイッチ本体との双方に係合保持させている。
【０００９】
従って、本発明は、ロック解除を行なうことなく、キーを無理に抜出そうとすると、キーを介してカム手段にキー抜出し方向への過負荷がかかり、この過負荷がカム軸を介してベースにかかるため、ベース破壊が生じるおそれがあるが、本発明では、カム軸がヘッドケースまたはヘッドケースとスイッチ本体との双方に係合保持されて、カム手段にかかる過大な力がベースとヘッドケースとに分散されるため、ベース破壊が防止される。また、ロック手段のロック力はカム手段、ベース、ヘッドケース等の強度に依存するが、前記のようにベース破壊が防止されることから、結果的に高ロック力が確保されることになる。さらに部品点数を増加させることなく高ロック力が確保されるためコスト低減を図ることができる。さらにまた、カム軸をヘッドケース等に係合させるから、ヘッドケースとベースとを分離することが困難であり、よってユーザー側が容易に分解することができない。
【００１０】
また、本発明は、前記カム軸の両端部を前記ヘッドケースの内周面に形成した軸方向の溝部に嵌合させることで前記カム軸を前記ヘッドケースに係合保持させることが考えられる。
【００１１】
従って、本発明は、カム軸の組付け方向が他のカム手段等と同一方向であり、よって組付け作業が容易である。
【００１２】
また、本発明は、前記カム軸の両端部を前記ヘッドケースの周壁に形成された透孔に嵌合させることによって前記カム軸を前記ヘッドケースに係合保持させることが考えられる。
【００１３】
従って、本発明は、前記カム軸の両端部を前記ヘッドケースの側壁に形成した透孔に嵌合させているため、単に、ヘッドケースに係合させただけの場合に比べてカム軸の取付けが強固であり、従って、カム手段に過負荷がかかってもカム軸が容易に透孔から外れることがなく、よってベース破壊防止がより確実となる。また、ヘッドケース内にカム手段等を組み込んだ後、透孔を介してカム軸を挿通させるためより一層の組立性の向上が図れる。
【００１４】
さらに、本発明は、前記カム軸の両端部を前記ヘッドケースと前記スイッチ本体との両周壁に形成された透孔に嵌合させることによって前記カム軸を前記ヘッドケースとスイッチ本体との双方に係合保持させることが考えられる。
【００１５】
従って、本発明は、ヘッドケースのみならずケース本体に形成した透孔にもカム軸を嵌合させているから、カム軸にかかる力はケース本体にも分散されることになり、従って、より一層のヘッドケースの破壊防止が可能となる。また、ヘッドケース内にカム手段等を組み込んだ後、透孔を介してカム軸を挿通させるためより一層の組立性の向上が図れる。
【００１６】
さらにまた本発明は、前記カム手段と前記ヘッドケースの頂壁内面とのクリアランスは、前記キーに抜出し方向の過負荷がかかった際に、前記カム手段が前記ヘッドケースの頂壁内面に接触可能な寸法に設定することが考えられる。
【００１７】
従って、本発明は、さらにドアを無理に開けようとすると、カム軸を介してヘッドケースにかかる力が増大し、ヘッドケース破壊のおそれが生ずるが、本発明では、キーに抜出し方向の過負荷がかかった際に、カム手段がヘッドケース頂壁内面に接触可能な寸法に設定されているため、カム手段がヘッドケース頂壁内面に接触し、ヘッドケース側壁にかかる力がヘッドケース頂壁にも分散されてヘッドケースの破壊が防止される。
【００１８】
さらにまた、本発明は、電源回路のオン・オフを司るスイッチング手段が収納されたスイッチ本体と、キーの挿入ないし抜出しにより正逆に回転動作することでスイッチング手段に接点切換動作を行なわせるカム手段が収納されたヘッドケースと、ヘッドケースに収納されて前記カム手段をカム軸により回転動作可能に支持するベースと、キー挿入によって惹起された接点切換え状態を維持するロック手段とを有する安全スイッチにおいて、前記ヘッドケース下部を前記スイッチ本体内面へ嵌合させている。
【００１９】
従って、本発明は、ヘッドケースをケース本体に嵌合させるため、ヘッドケースにかかる前後左右方向からの衝撃力や、ロック状態におけるキー引抜き力に対する耐衝撃性が向上する。また、ヘッドケースを取付ける際の位置決めが容易となり組立性が向上する。
【００２０】
さらにまた、本発明は、前記ヘッドケース下部外面と前記スイッチ本体内面との間に凹凸の係合手段を設けることが考えられる。
【００２１】
従って、本発明は、キーを介してヘッドケースに過負荷がかかった場合に、ヘッドケースがケース本体から抜け出ることがより一層防止される。
【００２２】
さらにまた、本発明は、前記ヘッドケースに嵌合させたカバー体の下部をスイッチ本体の上部に嵌合させることが考えられる。
【００２３】
従って、本発明は、カバー体を介してヘッドケースをケース本体に固定するため、キーを介して抜出し力がヘッドケースに作用してもヘッドケースが分離破損することが防止される。
【００２４】
さらにまた、本発明は、前記ヘッドケース内に組み込む複数の部品を前後左右対称に配置することが考えられる。
【００２５】
従って、本発明は、スイッチ本体に対するヘッドケースの向きが限定されず、よって種々の状況に応じてヘッドケースの向きを変更することが可能である。
【００２６】
【発明の実施の形態】
以下、本発明に係る電磁ロック式安全スイッチの実施形態を、図面を参照しながら説明する。
【００２７】
図１および図２に示すように、安全スイッチは、工作機械が設置された自動工作エリアの出入り口などに取付けられて利用されるものであって、出入り口の固定枠に取付けられるインターロック付きのスイッチ本体１と、開閉されるドアに取付けられるキー２とからなる。
【００２８】
スイッチ本体１は、本体ケース３とこれの上端にネジ連結されるヘッドケース４とを備え、後述するように、本体ケース３にはメインとなるスイッチング機構５、ロック機構６およびモニタ用スイッチング機構７が組込まれ、また、ヘッドケース４にはスイッチング機構５を操作する操作機構としての回転カム８と、この回転カム８を支持するベース９とが組込まれるとともに、その頂壁にキー挿入口１０が形成されている。回転カム８の外形はキー挿入口１０へのキー２の挿入・抜出しに伴って正逆に回転操作される形状に形成されている。
【００２９】
スイッチング機構５は、図３に示すように、３対の固定端子１１と、図示しない上下動可能な可動部材１２に支持された３個の可動端子１３とから構成され、可動部材１２は復帰バネによって上方付勢されている。また、各可動端子１３は図示しないストローク吸収用バネを介して後退変位可能に弾性支持されている。
【００３０】
図３は、可動部材１２が復帰バネに抗して下方移動しているスイッチオフ状態を示し、この時、各可動端子１３が固定端子１１から離反して、１組の固定端子１１に配線接続された電源回路が断たれるようになっている。また、図４に示すように、可動部材１２が復帰バネによって上方に付勢移動することで、各可動端子１３が固定端子１１に接触導通してスイッチオン状態がもたらされ、電源回路が入れられるようになっている。また、可動部材１２の上端にはプランジャ１５が当接されており、このプランジャ１５がヘッドケース４内に突入されて回転カム８の外周カム面に当接されている。
【００３１】
そして、図３に示すように、キー２が抜出された状態では、回転カム８の大径カム部によってプランジャ１５が復帰バネに抗して押し下げられることで、可動部材１２が下方変位してスイッチオフ状態が惹起され、また、図４に示すように、キー２が挿入されて回転カム８が回動されると、プランジャ１５が回転カム８の小径カムに係入して上方に変位可能になり、可動部材１２が上方に付勢変位してスイッチオン状態が惹起される。
【００３２】
ロック機構６は、プランジャ１５の下部に作用する金属板製のロック部材１６、これを左右に変位させる揺動リンク１７、この揺動リンク１７を正逆に揺動操作する図示しないスライド部材、スライド部材に連結された電磁ソレノイド１９等から構成されており、電磁ソレノイド１９が通電されることで、ロック部材１６がスライド変位されるようになっている。
【００３３】
なお、図示しないスライド部材には、モニタ用スイッチング機構７の可動部材が連結されており、モニタ用スイッチング機構７における２対の固定端子２２に対して可動部材に保持された２つの可動端子２３がそれぞれ離反ないし接触することで、モニタ用スイッチング機構がオフ・オンし、ソレノイド通電時にオンする。
【００３４】
ロック部材１６は、本体ケース３の内部に形成されたガイド溝に左右スライド自在に支持されており、このロック部材はプランジャ１５を挿通させる開口２７と揺動リンク１７の一端が係合される細孔が形成されている。また、ロック部材１６の開口にはアーム部が形成されている。
【００３５】
図３に示すスイッチオフ状態では電磁ソレノイド１９は非通電状態にあり、揺動リンク１７が揺動付勢されることでロック部材１６はスライド変位される。このとき、プランジャ１５は開口２７を挿通してスイッチオフ位置まで押し下げられている。
【００３６】
キー２が抜出されたスイッチオフ状態では、回転カム８は回転阻止部材８ａの係合によって回転阻止され、キー以外のもので回転カム８が操作されることが防止される。この回転阻止部材８ａによる係合はキー２を挿入することで、その回転阻止部材８ａがバネ付勢力に抗して回転カムから離間させられることで解除される。
【００３７】
キー２の挿入によって回転カム８が回転されてプランジャ１５および可動部材１２が上方変位してスイッチオン状態になると、図５に示すように、ロック付勢されているロック部材１６がスライド変位し、アーム部２９がプランジャ１５の直下に位置してプランジャの下方への変位を阻止するため、回転カム８の逆回転、つまり、キー２の抜出しが阻止される。
【００３８】
このスイッチオン状態でロック機構６のロック部材１６が正規のロック作用位置まで進出変位すると、モニタ用スイッチング機構７もスイッチオン状態となる。このモニタ用スイッチング機構７の一組の回路はスイッチング機構５における一組の回路に直列に接続されており、この直列回路が閉成導通することで自動工作エリア内の工作機械への電源が入れられるようになっている。
【００３９】
キー２を抜出す場合には、電磁ソレノイド１９に通電して揺動リンク１７を強制揺動させてロック位置のロック部材１６を退避させ、アーム部２９をプランジャ１５の下方変位を可能にする位置に移動させることで、プランジャ１５のロックを解除する。これによってキー２の抜き出し、つまり、ドアの開放が許容される。
【００４０】
上述したところの基本的構成は、従来の安全スイッチとほぼ同一である。本発明は以下の点に特徴を有する。すなわち、ヘッドケース４に組み込まれた操作機構としての回転カム８を支持するベース９は、プランジャ１５の突入口が形成された底壁３０を有し、この底壁３０から前板３１および後板３２を起立するとともに、前板３１から一対の支持板３３を後方突設し、かつ両支持板から左右方向に軸受筒３４を突設している。
【００４１】
回転カム８は一対の支持板３３間に回転自在に配置され、かつ両軸受筒３４に挿通されたカム軸３５で回転自在に支持されている。一方、両軸受筒３４外面には回転阻止部材８ａが摺動自在に嵌合されている。
【００４２】
ベース９が組み込まれるヘッドケース４の左右両側壁の下部内面には、図２および図７に示すように、下面開口の嵌合溝３６が縦設されており、この嵌合溝３６の上端に両軸受筒３４から突出するカム軸３５の両端部が上方抜出し不能に嵌合されている。
【００４３】
よって、ロック解除を行なうことなくドアを無理に開いた場合、キーを介して回転カム８に上方への過負荷がかかり、この過負荷がカム軸３５を介してベース９にかかるため、ベース破壊が生じるおそれがあるが、本発明では、カム軸３５がヘッドケース４の嵌合溝３６に嵌合されて、回転カム８にかかる過大な力がベース９とヘッドケース４とに分散されるため、ベース破壊が防止されることとなる。また、カム軸３５をヘッドケースに組付けるに際しては、カム軸３５を溝部３６に嵌合させるだけであるから、組付け作業が容易である。
【００４４】
この状態からさらにドアを無理に開けようとすると、カム軸３５を介してヘッドケース４にかかる力が増大し、ヘッドケース破壊のおそれが生ずるが、回転カム８とヘッドケース４頂壁内面とのクリアランスは、キーに抜出し方向の過負荷がかかった際に、回転カム８がヘッドケース頂壁４内面に接触可能な寸法に設定されているため、回転カム８がヘッドケース４頂壁内面に接触し、ヘッドケース４側壁にかかる力がヘッドケース頂壁にも分散されてヘッドケース４の破壊が防止されることとなる。
【００４５】
図８は第２実施形態を示す。第１実施形態では、回転カム８のカム軸３５はヘッドケース４の左右両側壁内面に形成された嵌合溝３６に嵌合されているが、第２実施形態では、ヘッドケース４の左右両側壁に透孔３８を形成して、これら両透孔３８にカム軸３５の左右両端部を嵌合させている。その他の構成は第１実施形態と同一であるから説明を省略する。
【００４６】
このように第２実施形態では、カム軸３５の両端部をヘッドケース４の側壁に形成した透孔３８に嵌合させているため、単に、ヘッドケース４に係合させただけの場合に比べてカム軸３５の取付けが強固であり、従って、回転カム８に過負荷がかかってもカム軸３５が容易に透孔３８から外れることがなく、よってベース４破壊防止がより確実となる。
【００４７】
図９は第３実施形態を示す。第１実施形態では、回転カム８のカム軸３５をヘッドケース４の左右両側壁内面に形成された嵌合溝３６に嵌合させており、また第２実施形態では、ヘッドケース４の左右両側壁に透孔３８を形成して、これら両透孔３８へカム軸３５の左右両端部を嵌合させているのに対して、第３実施形態では、ヘッドケース４の左右両側壁とケース本体３上端部とのそれぞれに透孔３８、３９を形成して、これら透孔にカム軸３５の両端部を嵌合させている。
【００４８】
このように第３実施形態では、ヘッドケース４のみならずケース本体３に形成した透孔３９にもカム軸３５を嵌合させているから、カム軸３５にかかる力はケース本体３にも分散されることになり、従って、より一層のヘッドケース４の破壊防止が可能となる。
【００４９】
図１０は第４実施形態を示す。本実施形態では、ヘッドケース４の頂面に載置した頂板４０の前後ないし左右の両側端部からヘッドケース４およびケース本体３のそれぞれの側面に嵌合させて垂下板４１を垂下してなるコ字状のカバー体４２を備えており、カバー体４２の頂板４０は、ヘッドケース４をケース本体３にネジ止めする長ネジを利用して固定するとともに、垂下板４１の一方は、ケース本体３をドアにネジ止めする長ネジを利用して固定する。
【００５０】
このようにカバー体４２を介してヘッドケース４をケース本体３に固定することにより、キーを介して上方向への抜出し力がヘッドケース４に作用してもヘッドケース４が上方向へ飛ぶことが防止される。
【００５１】
なお、上記いずれの実施形態においても、ヘッドケース４の下端部はケース本体３の上端部内面へ嵌合させることが好ましいが、第３実施形態を除いた他の実施形態では必ずしもその必要がない。単に、ヘッドケース４をケース本体３の上端面に載置してネジ止めしたものであってもよい。
【００５２】
上記のように、ヘッドケース４をケース本体３に嵌合させると、ヘッドケース４に加わる前後左右方向からの衝撃力に対する耐衝撃性を向上させることができる。なお、これら両者における嵌合部のヘッドケース４外面とケース本体３内面との一方の面に凸部を、かつ他方の面に凹部を形成して、これら凹凸部を係合可能に形成するのが好ましい。このようにすることによりキーに上方向への過負荷がかかった場合に、ヘッドケース４が上方に抜け出ることがより一層防止される。
【００５３】
【発明の効果】
本発明は、電源回路のオン・オフを司るスイッチング手段が収納されたスイッチ本体と、キーの挿入ないし抜出しにより正逆に回転動作することでスイッチング手段に接点切換動作を行なわせるカム手段が収納されたヘッドケースと、ヘッドケースに収納されて前記カム手段をカム軸により回転動作可能に支持するベースと、キー挿入によって惹起された接点切換え状態を維持するロック手段とを有する電磁ロック式安全スイッチにおいて、前記カム軸の両端部を前記ヘッドケースまたはヘッドケースとスイッチ本体との双方に係合保持させている。
【００５４】
このため、本発明は、ロック解除を行なうことなく、キーを無理に抜出そうとすると、キーを介して回転カムにキー抜出し方向への過負荷がかかり、この過負荷がカム軸を介してベースにかかるため、ベース破壊が生じるおそれがあるが、本発明では、カム軸がヘッドケースに係合されて、回転カムにかかる過大な力がベースとヘッドケースとに分散されるため、ベース破壊が防止される。
【００５５】
また、本発明は、電源回路のオン・オフを司るスイッチング手段が収納されたスイッチ本体と、キーの挿入ないし抜出しにより正逆に回転動作することでスイッチング手段に接点切換動作を行なわせるカム手段が収納されたヘッドケースと、ヘッドケースに収納されて前記カム手段をカム軸により回転動作可能に支持するベースと、キー挿入によって惹起された接点切換え状態を維持するロック手段とを有する電磁ロック式安全スイッチにおいて、前記ヘッドケースの下部を前記スイッチ本体内面へ嵌合させている。
【００５６】
よって本発明は、ヘッドケースをケース本体に嵌合させるため、ヘッドケースに加わる前後左右方向からの衝撃力に対する耐衝撃性が向上する。
【図面の簡単な説明】
【図１】本発明に係る電磁ロック式安全スイッチの斜視図である。
【図２】同じく、ヘッドケースの分解斜視図である。
【図３】（ａ）同じく、キー抜け時の状態を示す断面図である。
（ｂ）同じく、（ａ）におけるスイッチング機構の略示図である。
【図４】（ａ）同じく、アンロック時の状態を示す断面図である。
（ｂ）同じく、（ａ）におけるスイッチング機構の略示図である。
【図５】（ａ）同じく、ロック時の状態を示す断面図である。
（ｂ）同じく、（ａ）におけるスイッチング機構の略示図である。
【図６】（ａ）同じく、過負荷でのキー抜け時の状態を示す断面図である。
（ｂ）同じく、（ａ）におけるスイッチング機構の略示図である
【図７】同じく、カム軸のヘッドケースに対する取り付け状態を示す一部断面斜視図である。
【図８】同じく、カム軸のヘッドケースに対する取り付け状態を示す第２実施形態の一部断面斜視図である。
【図９】同じく、カム軸のヘッドケースおよびスイッチ本体に対する取り付け状態を示す第３実施形態の一部断面斜視図である。
【図１０】同じく、ヘッドケースをスイッチ本体に取り付け状態を示す第４実施形態の一部断面斜視図である。
【符号の説明】
１　スイッチ本体
２　キー
３　本体ケース
４　ヘッドケース
８　回転カム
９　ベース
３５　カム軸
３６　嵌合溝
３８、３９　透孔
【図１】
2004079204.tif 000003
【図２】
2004079204.tif 000004
【図３】
2004079204.tif 000005
【図４】
2004079204.tif 000006
【図５】
2004079204.tif 000007
【図６】
2004079204.tif 000008
【図７】
2004079204.tif 000009
【図８】
2004079204.tif 000010
【図９】
2004079204.tif 000011
【図１０】
2004079204.tif 000012